(57)【特許請求の範囲】
【請求項１】
スクリュ軸(20)に着脱自在に設けられたスクリュピース(22)を、前記スクリュ軸(20)から治具体(40)により引き抜くようにしたスクリュピース引き抜き治具において、
前記治具体(40)は、前記スクリュピース(22)の外周(22a)が貫通するスクリュ貫通穴(41)を有する複数の素板(42)と、前記各素板(42)を束ねて保持するための素板保持体(52)と、からなり、前記スクリュ軸(20)に対して前記各素板(42)を回転させつつズラセながら軸方向Ａに沿って積層させ、前記各素板(42)が前記素板保持体(52)によりチャッキングされた状態で、前記治具体(40)を軸方向Ａに沿って引くことにより前記スクリュピース(22)を前記スクリュ軸(20)から引き抜くように構成したことを特徴とするスクリュピース引き抜き治具。
【請求項２】
前記素板保持体(52)は、前記素板(42)の外周(42a)に着脱自在に設けられ、かつ、少なくとも二体構成をなす第１係合体(50)及び第２係合体(51)よりなり、前記第１、第２係合体(50,51)は締結ボルト(60)により締結されるように構成されていることを特徴とする請求項１記載のスクリュピース引き抜き治具。
【請求項３】
前記素板(42)は、円板又は非円板よりなり、前記素板保持体(52)は、円弧状又は非円弧状をなしていることを特徴とする請求項１又は２記載のスクリュピース引き抜き治具。
【請求項４】
前記第１係合体(50)及び第２係合体(51)の外周には、外側へ突出して形成され前記治具体(40)を押し引きするための第１、第２係留部(70,71)が形成されていることを特徴とする請求項２又は３記載のスクリュピース引き抜き治具。
【請求項５】
前記各素板(42)の中心に形成され前記スクリュピース(22)を貫通させるための前記スクリュ貫通穴(41)の外側位置には、少なくとも一対の孔(81)が形成され、前記孔(81)には締結ねじ(82)が貫通することにより、前記各素板(42)は互いに一体状に締結されていることを特徴とする請求項１記載のスクリュピース引き抜き治具。
【請求項６】
前記孔(81)は、円弧状孔よりなることを特徴とする請求項５記載のスクリュピース引き抜き治具。
【請求項７】
スクリュ軸(20)に着脱自在に設けられたスクリュピース(22)を、前記スクリュ軸(20)から治具体(40)により引き抜くようにしたスクリュピース引き抜き方法において、
前記治具体(40)は、前記スクリュピース(22)の外周(22a) が貫通するスクリュ貫通穴(41)を有する複数の素板(42)と、前記各素板(42)を束ねて保持するための素板保持体(52)と、からなり、前記スクリュ軸(20)に対して前記各素板(42)を回転させつつズラセながら軸方向Ａに沿って積層させ、前記各素板(42)が前記素板保持体(52)によりチャッキングされた状態で、前記治具体(40)を軸方向Ａに沿って引くことにより前記スクリュピース(22)を前記スクリュ軸(20)から引き抜くことを特徴とするスクリュピース引き抜き方法。
【請求項８】
前記素板保持体(52)は、前記素板(42)の外周(42a)に着脱自在に設けられ、かつ、少なくとも二体構成をなす第１係合体(50)及び第２係合体(51)よりなり、前記第１、第２係合体(50,51)は締結ボルト(60)により締結されることを特徴とする請求項７記載のスクリュピース引き抜き方法。
【請求項９】
前記素板(42)は、円板又は非円板よりなり、前記素板保持体(52)は、円弧状又は非円弧状をなしていることを特徴とする請求項７又は８記載のスクリュピース引き抜き方法。
【請求項１０】
前記第１係合体(50)及び第２係合体(51)の外周には、外側へ突出して形成され前記治具体(40)を押し引きするための第１、第２係留部(70,71)が形成されていることを特徴とする請求項８又は９記載のスクリュピース引き抜き方法。
【請求項１１】
前記各素板(42)の中心に形成され前記スクリュピース(22)を貫通させるための前記スクリュ貫通穴(41)の外側位置には、少なくとも一対の孔(81)が形成され、前記孔(81)には締結ねじ(82)が貫通することにより、前記各素板(42)は互いに一体状に締結されることを特徴とする請求項７記載のスクリュピース引き抜き方法。
【請求項１２】
前記孔(81)は、円弧状孔よりなることを特徴とする請求項１１記載のスクリュピース引き抜き方法。
【発明の詳細な説明】
【技術分野】
【０００１】
本発明は、スクリュピース引き抜き治具及び方法に関し、特に、スクリュピースの外周に複数の素板からなる治具体を設け、この治具体を用いてスクリュピースを引き抜くための新規な改良に関する。
【背景技術】
【０００２】
一般に、スクリュ軸に複数のスクリュピースを貫通させて一体化させてなるスクリュのスクリュピースの組み換えを行う場合には、スクリュ軸からスクリュピースを抜く必要がある。
この際に、抜く作業に力が必要な場合には、その力を掛ける方法は、ハンマー等で外力を与える方法とスクリュピースを挟んで引っ張る方法がある。ハンマー等で外力を加える方法は、衝撃がスクリュピースに掛るため、変形等が懸念される。スクリュピースを挟んで引っ張る場合は、スクリュピースの形状から各スクリュピース専用の治具が必要となる。今回はこの治具を簡単な構造にした発明であるため、この治具を用いた従来例について説明する。
まず、前述の従来方法のうち、例えば、特許文献１の「スクリュピース引き抜き治具及び方法」の場合、図５で示されるように、スクリュ軸２０に設けられたスクリュピース２２の外周２２ａの形状にならった内周面を有する二つ割り型の各凹溝３３を有する第１、第２凹型３１,３２からなるスクリュピース引き抜き治具３０を装着し、このスクリュピース引き抜き治具３０を重機によってワイヤ等で引くことにより、スクリュピース２２をスクリュ軸２０から引き抜くように構成されている。
【０００３】
また、特許文献２に開示された「スクリュエレメントの抜き装置」においては、図６に示されるように、架台１０は複数個の切り欠き部１１ａ，１１ｂ・・・を軸方向の同一位置に有し、スクリュ駆動軸１５に複数個のスクリュエレメント１２ａ，１２ｂ・・・を貫装してなる組立式スクリュ１２を置くための間隙部を形成する互いに対峙する１対の側板１３,１４と、１対の側板１３,１４の互いに同一位置の切り欠き部１１ａ，１１ｂ・・・に装着され、スクリュ１２の軸方向に対し直角をなすストッパ１６とを有してなり、同架台１０上の１対の側板１３,１４の先端部には前記組立式スクリュ１２のスクリュエレメント１２ａ，１２ｂ・・・を外径部から把持する挟持部材１７ａ，１７ｂを有する押圧保持手段１８が取付けてある。
【０００４】
前記押圧保持手段１８の把持部材１７ａ，１７ｂの内の少なくとも１側は図６のようにその把持面に、例えばスクリュエレメント１２ａのねじ溝が係合するねじ山形状(図示せず)を有しており、組立式スクリュ１２からスクリュエレメント１２ａを抜き出す場合、前記ストッパ１６と組立式スクリュ１２のスクリュ駆動軸１５端の間に設けた押圧用シリンダ１９により押圧保持手段１８の把持部材(図示せず)により、スクリュエレメント１２ａを外側面から把持し、ストッパ１６とスクリュ駆動軸１５端の間Ｌで押圧用シリンダ１９が伸びることによりスクリュエレメント１２ａを前記押圧保持手段１８の把持部材(図示せず)の位置に残したままスクリュ駆動軸１５を図中右方向に押し出すことができる。
【先行技術文献】
【特許文献】
【０００５】
【特許文献１】特開２０１１−５１３１４号公報
【特許文献２】特開２００４−７４４１０号公報
【発明の概要】
【発明が解決しようとする課題】
【０００６】
従来のスクリュピース引き抜き治具及び方法は、以上のように構成されていたため、次のような課題が存在していた。
すなわち、前述の特許文献１及び２に開示されたスクリュピース引き抜き治具及び方法においては、スクリュピースを挟み込む治具は、通常、引き抜き対象とするスクリュピースに合致した形状にする必要があり、その製作は難しく、製作の工期は長期間に及ぶことになっていた。
【０００７】
本発明は、以上のような課題を解決するためになされたもので、特に、スクリュピースの外周に複数の素板からなる治具体を設け、この治具体を用いてスクリュピースを引き抜くようにしたスクリュピース引き抜き治具及び方法を提供することを目的とする。
【課題を解決するための手段】
【０００８】
本発明によるスクリュピース引き抜き治具は、スクリュ軸に着脱自在に設けられたスクリュピースを、前記スクリュ軸から治具体により引き抜くようにしたスクリュピース引き抜き治具において、
前記治具体は、前記スクリュピースの外周が貫通するスクリュ貫通穴を有する複数の素板と、前記各素板を束ねて保持するための素板保持体(52)と、からなり、前記スクリュ軸に対して前記各素板を回転させつつズラセながら軸方向Ａに沿って積層させ、前記各素板が前記素板保持体によりチャッキングされた状態で、前記治具体を軸方向Ａに沿って引くことにより前記スクリュピースを前記スクリュ軸から引き抜くようにした構成であり、また、前記素板保持体は、前記素板の外周に着脱自在に設けられ、かつ、少なくとも二体構成をなす第１係合体及び第２係合体よりなり、前記第１、第２係合体は締結ボルトにより締結されるようにした構成であり、また、前記素板は、円板又は非円板よりなり、前記素板保持体は、円弧状又は非円弧状をなしている構成であり、また、前記第１係合体及び第２係合体の外周には、外側へ突出して形成され前記治具体を押し引きするための第１、第２係留部が形成されている構成である。また、前記各素板の中心に形成され前記スクリュピースを貫通させるための前記スクリュ貫通穴の外側位置には、少なくとも一対の孔が形成され、前記孔には締結ねじが貫通することにより、前記各素板は互いに一体状に締結されている構成であり、また、前記孔は、円弧状孔よりなる構成である。
本発明によるスクリュピース引き抜き方法は、スクリュ軸に着脱自在に設けられたスクリュピースを、前記スクリュ軸から治具体により引き抜くようにしたスクリュピース引き抜き方法において、前記治具体は、前記スクリュピースの外周が貫通するスクリュ貫通穴を有する複数の素板と、前記各素板を束ねて保持するための素板保持体(52)と、からなり、前記スクリュ軸に対して前記各素板を回転させつつズラセながら軸方向Ａに沿って積層させ、前記各素板が前記素板保持体によりチャッキングされた状態で、前記治具体を軸方向Ａに沿って引くことにより前記スクリュピースを前記スクリュ軸から引き抜く方法であり、また、前記素板保持体は、前記素板の外周に着脱自在に設けられ、かつ、少なくとも二体構成をなす第１係合体及び第２係合体よりなり、前記第１、第２係合体は締結ボルトにより締結される方法であり、また、前記素板は、円板又は非円板よりなり、前記素板保持体は、円弧状又は非円弧状をなしている方法であり、また、前記第１係合体及び第２係合体の外周には、外側へ突出して形成され前記治具体を押し引きするための第１、第２係留部が形成されている方法であり、また、前記各素板の中心に形成され前記スクリュピースを貫通させるための前記スクリュ貫通穴の外側位置には、少なくとも一対の孔が形成され、前記孔には締結ねじが貫通することにより、前記各素板は互いに一体状に締結される方法であり、また、前記孔は、円弧状孔よりなる方法である。
【発明の効果】
【０００９】
本発明によるスクリュピース引き抜き治具及び方法は、以上のように構成されているため、次のような効果を得ることができる。
すなわち、スクリュ軸に着脱自在に設けられたスクリュピースを、前記スクリュ軸から治具体により引き抜くようにしたスクリュピース引き抜き治具において、前記治具体は、前記スクリュピースの外周が貫通するスクリュ貫通穴を有する複数の素板と、前記各素板を束ねて保持するための素板保持体(52)と、からなり、前記スクリュ軸に対して前記各素板を回転させつつズラセながら軸方向Ａに沿って積層させ、前記各素板が前記素板保持体によりチャッキングされた状態で、前記治具体を軸方向Ａに沿って引くことにより前記スクリュピースを前記スクリュ軸から引き抜くようにした構成と方法であることにより、治具体が複数の素板に輪切りにされていることであるため、従来のように、種々の寸法及び形状からなる治具を作る必要がなく、複数の素板をスクリュピースの外周に回転するようにズラシながら重ねてスクリュピースに装着できる治具体を得ることができる。
また、前記素板保持体は、前記素板の外周に着脱自在に設けられ、かつ、少なくとも二体構成をなす第１係合体及び第２係合体よりなり、前記第１、第２係合体は締結ボルトにより締結されるように構成されていることにより、スクリュピースに設けられた各素板の保持を簡単に行なうことができる。
また、前記素板は、円板又は非円板よりなり、前記素板保持体は、円弧状又は非円弧状をなしていることにより、素板及び素板保持体の形状を、円形だけでなく、角形とすることができる。
また、前記第１係合体及び第２係合体の外周には、外側へ突出して形成され前記治具体を押し引きするための第１、第２係留部が形成されていることにより、素板保持体の押し引きが容易となる。
また、前記各素板の中心に形成され前記スクリュピースを貫通させるための前記スクリュ貫通穴の外側位置には、少なくとも一対の孔が形成され、前記孔には締結ねじが貫通することにより、前記各素板は互いに一体状に締結されていることにより、各素板を簡単に締結できる。
また、前記孔は、円弧状孔よりなることにより、締結ねじの取付けが容易となる。
【図面の簡単な説明】
【００１０】
【図１】本発明によるスクリュピース引き抜き治具を示す一部断面付き構成図である。
【図２】図１の側面図である。
【図３】図１の他の形態を示す一部断面付き構成図である。
【図４】図３の素板の各パターンＡ，Ｂ，Ｃを示す側面図である。
【図５】従来のスクリュピース引き抜き治具の第１従来例を示す断面図である。
【図６】従来のスクリュピース引き抜き治具の第２従来例を示す構成図である。
【発明を実施するための形態】
【００１１】
本発明によるスクリュピース引き抜き治具及び方法は、スクリュピースをスクリュ軸から引き抜くための治具体が、スクリュピースを貫通させた複数の素板と、これらの各素板を保持する素板保持体とからなることである。
【実施例】
【００１２】
以下、図面と共に本発明によるスクリュピース引き抜き治具及び方法の好適な実施の形態について説明する。
尚、図５の第１従来例と同一もしくは同等部分には、同一符号を付して説明する。
図１において、符号２０で示されるものは、スクリュピース２２を貫通して設けられたスクリュ軸であり、このスクリュ軸２０には、複数個の前記スクリュピース２２が設けられ、前述のように構成された一対のスクリュ軸２０が図示しない、例えば、二軸押出機のシリンダ内に並設されている。
【００１３】
図１の構成においては、前記シリンダから引き出されて前記スクリュ軸２０からスクリュピース２２を引き抜くために、本発明による治具体４０を装着する状態が示されている。
【００１４】
すなわち、二軸押出機のスクリュで広く用いられる二条ねじタイプのスクリュピース２２は、ねじれ方向（右ねじor左ねじ）とそのリードの大小によって様々な側面形状を持っているが軸に垂直な断面においては、全てスクリュ外径と軸間距離、すなわち使用する二軸押出機の機種に対して略一意的にきまる基本形状(いわゆる、図２のスクリュ貫通穴３１(符号１００で示されるハッチング部分、すなわち、後述のゆとり部１００を除く部分)で示されるように、ラグビーボール形状)、となることが知られている。本発明はそれに着目したもので、前述の基本形状の前記スクリュ貫通穴４１をあけた円盤又は四角等の角盤からなる素板４２をスクリュ軸２０に対して回転するようにズラシながら重ねてスクリュ４３に装着することで、従来個々のスクリュ４３の側面形状に合わせて作成された第１、第２凹型３１,３２からなるスクリュピース引き抜き治具３０を、複数枚からなる１組の素板４２で対応できるようにした構成である。
【００１５】
前述の図１における構成においては、１個の前記スクリュピース２２の外周２２aが前記スクリュ貫通穴４１を貫通することができるように、前記スクリュ軸２０に対して素板４２を回転させつつズラセながら各素板４２を軸方向Ａに沿って重ねるように前記スクリュ４３上に積層されている状態を示している。
【００１６】
従って、図１の状態では、前記スクリュ軸２０及び前記各スクリュピース２２からなる前記スクリュ４３の外周に対して、複数枚の前記素板４２を軸方向Ａに沿って重ねた後に、図２にも示される一対の半円状をなすと共に断面で凹状をなす第１係合体５０と第２係合体５１によって前記素板４２を保持（チャッキング）する直前の構成を示している。
【００１７】
前記第１、第２係合体５０,５１により、素板保持体５２が構成され、前述の素板保持体５２と前記各素板４２によって前記スクリュピース２２を前記スクリュ軸２０から引き抜くための治具体４０を構成している。
【００１８】
前記第１、第２係合体５０,５１の各一端５０ａ，５１ａは、リンク６０を介して互いに矢印Ｂ方向に沿って回動自在に構成され、その各他端５０ｂ，５１ｂには締結ボルト６０が螺合されることにより、この締結ボルト６０の回転方向により、締結方向Ｃと開方向Ｄに移動するように構成されている。
【００１９】
前記締結ボルト６０を締結方向Ｃに回転させると、図示していないが、前記各他端５０ｂが図１の矢印Ｅ方向に移動して互いに接触して締結されることにより、前記各係合体５０,５１の第１、第２内面５０ｃ，５１ｃがテーパ面１１０を介して前記素板４２の外周部分４２ａに接触し、前記各素板４２は断面凹状の前記各係合体５０,５１のテーパ面１１０によって強固に一体状に保持される。
【００２０】
前記各係合体５０,５１の円弧のほぼ中央位置には、第１、第２係留部７０,７１が外側へ向けて突出して形成されており、前記各素板４２を締結した後の前記素板保持体５２を図示しない重機等で引張ってスクリュピース２２をスクリュ軸２０から引き抜く際に前記各係留部７０,７１にワイヤ等を接続できるようにした構成である。尚、前記素板４２の外周には、この素板４２をスクリュピース２２に回転挿入する際の図示しない治具の係合用の凹部８０が形成されている。
【００２１】
次に、図３及び図４を用いて本発明の第２形態について説明する。
尚、前述の図１及び図２の構成と同一部分については、同一符号を用いて説明する。
図３で示される他の形態としての治具体４０は、この治具体４０の一部を構成するため、前述の前記スクリュピース２２の外周２２ａに嵌め込まれた複数の素板４２と、各素板４２に形成された円弧状の孔８１に前記素板保持体５２として挿入された締結ねじ８２とからなり、前記締結ねじ８２が前記孔８１を貫通して端板８３に螺合することにより、各素板４２が一体状に締結される構成である。
【００２２】
前述の各素板４２は、図１及び図２の構成とは異なり、図４に示されるように、前記締結ねじ８２を貫通させるための円弧状の前記孔８１が前記スクリュ貫通穴４１を中心として１８０度対抗するように形成されていると共に、例えば、前記各孔８１の角度位置は、図４の第１〜第３パターンＡ，Ｂ及びＣに示されているように、前記各凹部８０を同一位置として比較すると、互いに異なるように形成され、各素板４２を一枚毎に回転させた場合でも、図３の２本の前記締結ねじ８２に各孔８１が対応することができるように構成されている。
【００２３】
従って、図３及び図４における第２形態における前記治具体４０は、前述のように、前記各素板４２と素板保持体５２としての締結ねじ８２とから構成されている。
前記治具体４０は、図３のように前記スクリュピース２２の外周２２ａに装着された状態で、図示しない重機等の強力な引張り手段を介して前記軸方向Ａに沿って引くことにより、前記スクリュピース２２は前記治具体４０によって引き抜くことができる。
【００２４】
次に、ここで前述の図１から図４で示される各素板４２の形状について詳述する。
一枚の前記素板４２の厚さｔは素板４２自体の剛性に応じ、反りや曲りが起きない範囲で、できるだけ薄い方がスクリュピース２２へ接触する部分が分散するため好ましく、実施例では厚さｔ３．２ｍｍのＳＰＣＣ鋼板を用いた。
前記素板４２の外形は装着状態を回転調整する都合上円盤が望ましい。
前記スクリュ貫通穴４１は素板４２の中心の基本断面形状１０１（すなわち、スクリュピース２２の断面形状のことである）に、対象とするスクリュピース２２の内のもっとも短いリードの形状に対して、素板４２の板厚ｔ分のねじれを加えた投影面積となるようにし、これに装着時の嵌め込みのクリアランスを加味した形状をゆとり部１００としている。
実施例ではリード１０５ｍｍのねじれに対して板厚ｔ＝３．２ｍｍ分の１１度のねじれを加えている。
【００２５】
また、基本の形態としては、図１及び図２のように、スクリュ貫通穴４１のみを設けた１種類の素板４２のみを所定枚数重ね、その外周をフランジクランプのような、重ねた素板４２の円周を均等に締結把持できる前記素板保持体５２で締結しても良く、押圧／牽引時に重機等と結合可能な第１、第２係留部７０,７１が設けてある。
【００２６】
前述の図３及び図４で示される第２形態において、前記素板４２はスクリュ貫通穴４１と締結用の円弧状の孔８１の相対位置関係の異なるｎ１種で構成され、それぞれの素板４２の孔８１はスクリュ貫通穴４１中心を基点にｎ２回対称の位置に円弧状に配され、円弧の中心角θとした時、ｎ１×ｎ２×θ＞３６０度の関係を満たす。
図４の実施例は、３種×２回対称×７０度＞３６０度の関係が示されている。
【００２７】
この場合、前記素板４２の直径は対象とするスクリュピース２２の外径Ｄの１．８倍以上が好ましい。
尚、１．８倍未満では前記孔８１が適切に配置できず、直径の上限の正弦は特にないが、必要以上に大きくする意義はないので３．０Ｄ程度が妥当である。また、この形態では素板４２の外周４２ａは締結に関与しないので厳密な円である必要はなく、前述のように、孔８１を配するスペースを確保できる大きさであれば４角／６角／８角形等の板であっても良い。
前記第２形態では、所定枚数の素板４２をそれぞれの素板４２の締結用の孔８１が締結ねじ８２を通す部分に重なるよう、素板４２の種類を適宜選択してスクリュピース２２に重ねて装着した後、孔８１の重なった部分で締結ねじ８２で締結する。
【００２８】
次に、前述の本発明によるスクリュピース引き抜き治具及び方法の要旨とするところは以下の通りである。
すなわち、スクリュ軸２０に着脱自在に設けられたスクリュピース２２を、前記スクリュ軸２０から治具体４０により引き抜くようにしたスクリュピース引き抜き治具において、前記治具体４０は、前記スクリュピース２２の外周２２ａに設けられ前記スクリュピース２２がスクリュ貫通穴４１を介して貫通する複数の素板４２と、前記各素板４２を束ねて保持するための素板保持体５２と、からなり、前記各素板４２及び前記素板保持体５２により前記スクリュピース２２を前記スクリュ軸２０から引き抜くようにした構成と方法であり、また、前記素板保持体５２は、前記素板４２の外周４２ａに着脱自在に設けられ、かつ、少なくとも二体構成をなす第１係合体５０及び第２係合体５１よりなり、前記第１、第２係合体５０,５１は締結ボルト６０により締結されるようにした構成と方法であり、また、前記素板４２は、円板又は非円板よりなり、前記素板保持体５２は、円弧状又は非円弧状をなしている構成と方法であり、また、前記第１係合体５０及び第２係合体５１の外周には、外側へ突出して形成され前記治具体４０を押し引きするための第１、第２係留部７０,７１が形成されている構成と方法であり、また、前記各素板４２の中心に形成され前記スクリュピースを貫通させるための前記スクリュ貫通穴の外側位置には、少なくとも一対の孔が形成され、前記孔８１には締結ねじ８２が貫通することにより、前記各素板４２は互いに一体状に締結されている構成と方法であり、また、前記孔８１は、円弧状孔よりなる構成と方法である。
【産業上の利用可能性】
【００２９】
本発明によるスクリュピース引き抜き治具は、スクリュピースの外周に対して複数の素板４２を軸方向に沿って積層させ、素板保持体によって一体状に締結することにより治具体４０を形成し、この治具体を引くことによりスクリュピースをスクリュ軸から簡単に引き抜くことができ、スクリュピースの交換を従来よりも簡単に行なうことができる。
【符号の説明】
【００３０】
２０    スクリュ軸
Ａ    軸方向
２２    スクリュピース
２２ａ    外周
４０    治具体
４１    スクリュ貫通穴
４２    素板
４２ａ    外周
４３    スクリュ
５０    第１係合体
５０ａ，５１ａ    一端
５０ｂ，５１ｂ    他端
５１    第２係合体
５２    素板保持体
６０    リンク
７０    第１係留部
７１    第２係留部
８０    凹部
８１    孔（円弧状孔）
８２    締結ねじ（素板保持体５２）
８３    端板
１００    ゆとり部
１０１    スクリュピース２２の基本断面形状
１１０    テーパ面
【図１】
0006031486.tif 000002
【図２】
0006031486.tif 000003
【図３】
0006031486.tif 000004
【図４】
0006031486.tif 000005
【図５】
0006031486.tif 000006
【図６】
0006031486.tif 000007